(57)【要約】【課題】本発明は、自動両面装置と手差し給紙装置とが装備された構造でありながら、手差し給紙装置付近のジャムした用紙が容易に取り除ける画像形成装置を提供する。【解決手段】本発明の画像形成装置は、装置本体１ａの側部に開閉可能に自動両面装置８１を設け、この自動両面装置に隣接して手差し給紙装置６１を設ける。そして、自動両面装置の開操作に連動して、手差し給紙装置を装置本体の側部から離れる方向に移動させる手差し移動機構７５，８６，８６ａを設ける。さらに自動両面装置の開操作に連動して、手差し給紙装置の給紙ローラ６７と分離ローラ６６との圧接を解除する圧接解除機構９０を設けて、自動両面装置を開操作すれば、それに連動して、手差し給紙装置と装置本体との間に開放部分が形成され、手差し給紙装置の給紙ローラと分離ローラとに挟まれる用紙の拘束が解かれるようにした。【選択図】      図４
2005070223.tif 000002
【特許請求の範囲】
【請求項１】
画像形成部が内蔵された装置本体と、
前記装置本体の側部に開閉可能に設けられ、用紙を反転させて前記画像形成部へ給紙するための自動両面装置と、
前記自動両面装置と隣接して前記装置本体の側部に設けられ、手差し用紙を前記画像形成部へ送り出す送り出し部と該送り出し部に圧接し前記送り出し部により複数枚の手差し用紙が送り出された場合には２枚目以降の用紙を分離する分離部とを有して構成された手差し給紙装置と、
前記自動両面装置の開操作に連動して前記手差し給紙装置を前記装置本体の側部から離れる方向に移動させる手差し移動手段と、
前記自動両面装置の開操作に連動して前記送り出し部と前記分離部との圧接を解除する圧接解除手段と
を具備することを特徴とする画像形成装置。
【請求項２】
前記自動両面装置は、開操作すると前記装置本体と該装置本体から離れる手差し給紙装置との間が外部に露出するように前記装置本体の側部に回動可能に支持させてあることを特徴とする請求項１に記載の画像形成装置。
【請求項３】
前記手差し移動手段は、前記手差し給紙装置を前記装置本体から水平方向に沿って遠ざかるように変位させる機構で構成されることを特徴とする請求項１または請求項２に記載の画像形成装置。
【請求項４】
前記圧接解除手段は、常時は分離部を前記送り出し部へ付勢させる付勢手段と、前記自動両面装置が開かれると前記分離部の前記送り出し部に対する付勢を解除する解除手段とを有して構成されることを特徴とする請求項１ないし請求項３のいずれか一つに記載の画像形成装置。
【請求項５】
前記装置本体は、前記自動両面装置で被われる側部分に、前記装置本体内のジャム処理の際に開かれる開閉カバーを有していることを特徴とする請求項１ないし請求項４のいずれか一つに記載の画像形成装置。
【発明の詳細な説明】
【技術分野】
【０００１】
本発明は、用紙を反転させる自動両面装置と手差し給紙を行う手差し給紙装置とを備えた画像形成装置に関する。
【背景技術】
【０００２】
画像形成装置には、両面印刷機能と手差し印刷機能とを有する装置がある。この画像形成装置には、限られたスペースを活用して両機能の機器を設置するべく、画像形成部を内蔵した装置本体の側部に、両面印刷を行うために用紙を反転させる自動両面装置（ＡＤＵ）を組付け、手差し給紙で印刷を行うために手出し給紙装置を自動両面装置の下側に同装置と隣接して組付ける構造がある。
【０００３】
ところで、画像形成装置は、手差し給紙装置の付近でジャムが生じることが多い。
【０００４】
手差し給紙装置の付近のジャム処理は、手差し給紙装置がジャムした用紙を取り除く作業を行う領域にあるので、ジャム処理の作業がし難い。
【０００５】
従来、自動両面装置が無い画像形成装置においては、装置本体の側部に設けたジャム処理を行う開閉カバーに手差し給紙装置を設けて、同手差し給紙装置を装置本体に開放可能とする構造と、この手差し給紙装置が開放すると、手差し給紙装置の給紙ローラと分離ローラとの圧接を解除させる構造とを採用して、開閉カバーを開くと、手差し給紙装置の搬送路からジャムした用紙が容易に取り出せる技術が提案されている（例えば特許文献１を参照）。
【特許文献１】特開２００１−１３０７５７号公報
【発明の開示】
【発明が解決しようとする課題】
【０００６】
ところが、自動両面装置と手差し給紙装置を有する画像形成装置の多くは、前記自動両面装置が無い画像形成装置とは異なり、両機器を集中して配置、すなわち装置本体の側部に、自動両面装置と手差し給紙装置とが隣接して配置されている。特に互いに近接して配置される。この自動両面装置の存在のために、自動両面装置が有る画像形成装置では、上記公報のような開閉カバーに連動してジャムした手差し用紙を取り除き易くする構造を適用することは難しい。
【０００７】
このため、自動両面装置と手差し給紙装置の双方が装備される画像形成装置では、手差し給紙装置の付近で生じたジャムを処理するときは、障害物となる自動両面装置を移動させて、その直下に有る手差し給紙装置を外部に露出させた後、この手差し給紙装置の各部を操作して、手差し給紙装置付近でジャムしていた用紙を取り除いていた。そのため、ジャム処理は、自動両面装置が無い画像形成装置に比べ、ジャムした場所に到達するまでに多くの作業が求められる。特に手差し給紙装置の周りは、ジャムした用紙が見つけ難い。しかも、開放した部分は少ないので、ジャム処理を行う作業スペースが確保しにくい。そのうえ、手差し給紙装置の給紙ローラと分離ローラとの間に挟まれている用紙を引き抜くという、面倒で労力の要する作業が求められるので、かなりジャム処理は面倒であった。
【０００８】
そこで、本発明の目的は、自動両面装置と手差し給紙装置とが装備された構造でありながら、手差し給紙装置の付近でジャムした用紙が、容易に取り除けるようにした画像形成装置を提供する。
【課題を解決するための手段】
【０００９】
上記目的を達成するために、本発明は、装置本体の側部に開閉可能に設けた自動両面装置の開操作に連動して、自動両面装置と隣接した手差し給紙装置を装置本体の側部から離れる方向に移動させるとともに、手差し給紙装置の圧接している送り出し部と分離部とを解除する構成を採用した。
【発明の効果】
【００１０】
本発明によれば、手差し給紙装置の付近でジャムが生じた場合、自動両面装置を開操作すれば、それに連動して、手差し給紙装置と装置本体との間が開放されて、同部分に開放空間が形成されるうえ、手差し給紙装置の送り出し部と分離部に挟まれている用紙の拘束が解かれる。
【００１１】
それ故、作業は、手差し給紙装置と装置本体との間の開放空間を通じて、手差し給紙装置の送り出し部と分離部で挟まれていない用紙を取り除くという、少ない労力、さらには作業しやすい状況下のもとで、容易に手差し給紙装置付近からジャムした用紙を取り除くことができる。
【発明を実施するための最良の形態】
【００１２】
［一実施形態］
以下、本発明を図１〜図７に示す一実施形態にもとづいて説明する。
【００１３】
図１及び図２中符号１ａは画像形成装置、例えば電子写真複写機１が備える装置本体としての複写機本体を示している。複写機本体１ａの上部には画像形成部１Ａが内蔵され、複写機本体１ａの下部には複数の給紙カセット２４を有した給紙部１Ｂが設けられている。
【００１４】
複写機本体１ａの内部構造を示す図２を参照して画像形成部１Ａを説明する。
【００１５】
複写機本体１ａ内には、像担持体としての感光体ドラム２が回転自在に設けられている。感光体ドラム２の周囲部には、その回転方向に沿って、感光体ドラム２の表面を所定の電位に帯電させる帯電ユニット５、静電潜像を現像するモノクロ用の現像装置８Ｂ、カラー用の回転式現像装置８Ａ、現像剤像を一時的に転写させる中間転写ベルト３、及び感光体ドラム２上の残留トナーを除去するクリーナ６が配設されている。
【００１６】
カラー用の回転式現像装置８Ａは、イエロートナーを供給する第１の現像部８ａ、シアントナーを供給する第２の現像部８ｂ、マゼンタトナーを供給する第３の現像部８ｃを有している。
【００１７】
中間転写ベルト３は、第１ないし第４のローラ３ａ〜３ｄ間に所定の張力で掛け渡され、１次転写ローラ１２によって感光体ドラム２に押し付けられている。中間転写ベルト３の第１のローラ３ａに巻き付けられる部分には、中間転写ベルト３をクリーニングするクリーナ１５ａが接触されている。
【００１８】
現像装置８Ａ、８Ｂの下方部には感光体ドラム２上に静電潜像を形成する露光装置４が設けられている。
【００１９】
露光装置４の下方には給紙カセット２４を収容した給紙部１Ｂが設けられている。給紙カセット２４には用紙を取出すピックアップローラ７が設けられている。ピックアップローラ７によって取出される用紙は、給紙ローラ１５と分離ローラ１６によって一枚ずつ分離されて送り出され、搬送路１９に沿って搬送されるようになっている。
【００２０】
搬送路１９は、複写機本体１ａの一側壁１ａｗ（図１及び図３参照）に寄せて、この一側壁１ａｗに沿うように上下方向に延びて設けられている。一側壁１ａｗは搬送路１９を露出させてジャム処理を行うための開口を有している。
【００２１】
搬送路１９中には、用紙の搬送方向に沿って、後述する用紙ガイド対３１、搬送ローラ対９、レジストローラ対１７、２次転写ローラ１１が順次配設されている。レジストローラ対１７は、搬送されてくる用紙を一旦停止させ、搬送方向に対する用紙の傾きを修正するとともに、用紙の先端と中間転写ベルト３上のトナー像の先端とを一致させる。
【００２２】
２次転写ローラ１１の用紙搬送方向下流側には、用紙に転写されたトナー像を用紙に定着する定着器１３が配設されている。定着器１３は加熱ローラ１３ａと加圧ローラ１３ｂとを有して構成されている。
【００２３】
定着器１３の用紙搬送方向下流側には用紙を複写機本体１ａ外へ排出させる排出ローラ２０が設けられている。排出ローラ２０の搬出側には排出される用紙を受ける排出トレイ２１が設けられている。
【００２４】
ここまでの画像形成部１Ａの構成で、電子写真複写機１の印刷動作について説明する。
【００２５】
まず、図示しない原稿搬送ユニットに原稿をセットし、図示しない操作パネルのコピーボタンをオンする。これにより、原稿が搬送され、同原稿上の情報が読取装置（図示しない）により光学的に読み取られる。このとき、感光体ドラム２の表面は帯電ユニット５によって一様に帯電される。そして、この帯電された感光体ドラム２上に露光装置４によって読取情報に応じた情報光が照射されて静電潜像が形成される。
【００２６】
この静電潜像は感光体ドラム２の回転により現像装置８Ｂ或いは現像装置８Ａに送られる。続いて、現像装置８Ｂから黒色のトナーが供給、或いは、現像装置８Ａからシアン、マゼンタ、イエローの各トナーが供給されて現像される。現像されたトナー像は、感光体ドラム２の回転により中間転写ベルト３上に送られて１次転写ローラ１２によって１次転写される。この転写後、感光体ドラム２は除電器（図示しない）で光除電される。感光体ドラム２上に残ったトナーはクリーナ６でクリーニングされる。
【００２７】
一方、以上の動作とタイミングとに合わせて、給紙カセット２４から搬送路１９を通じて供給される用紙が、中間転写ベルト３と２次転写ローラ１１との間に送込まれる。この用紙には中間転写ベルト３上のトナー像が２次転写される。転写後、用紙は中間転写ベルト３から剥離されて定着器１３に送られ、トナー像が定着器１３で加熱されるとともに加圧されて定着される。この定着後、用紙は排出ローラ２０を介して外部に排出され、排出トレイ２１上に載置される。
【００２８】
構成の説明に戻ると、図３及び図４に示すように前記搬送路１９が備える用紙ガイド対３１は、固定用紙ガイド３２と、上下一対の可動用紙ガイド３３、３４とを有している。用紙ガイド対３１の下端部に作られる入口３１ａは、給紙ローラ１５及び分離ローラ１６のローラ対の用紙搬出側に位置してこのローラ対に近接されている。固定用紙ガイド３２はガイド板で作られている。
【００２９】
下位置の可動用紙ガイド３４は、その下端部を支点に回動可能に複写機本体１ａに取付けられている。図３、図４中符号３５は可動用紙ガイド３４の支点をなす枢軸を示している。可動用紙ガイド３４は、固定用紙ガイド３２の下部に対向して配設されている。
【００３０】
上位置の可動用紙ガイド３３の下端部と可動用紙ガイド３４の上端部とは枢軸３６により連結されていて、この枢軸３６を支点に可動用紙ガイド３３は可動用紙ガイド３４に対して自由に回動可能である。可動用紙ガイド３３は、固定用紙ガイド３２の上部に対向して配設されている。可動用紙ガイド３３の固定用紙ガイド３２に対向する一側面は、給紙部１Ｂからの用紙を導く第１の用紙ガイド面をなしている。この一側面と反対側に位置した可動用紙ガイド３３の他側面は、手差し用紙Ｐ（図１に図示）を導く第２の用紙ガイド面をなしている。第２の用紙ガイド面には、手差し用紙Ｐの搬送を妨げない位置に連動用の係合凸部３７が設けられている。係合凸部３７は枢軸３６より上方に位置されている。
【００３１】
上下一対の可動用紙ガイド３３、３４は、その重量バランスにより図３中において時計回りに倒れ勝手になっている。言い換えれば、用紙ガイド対３１は、開き勝手に作られている。
【００３２】
なお、図３及び図４中符号４１、４２は、相対向して給紙部１Ｂ内に上下方向に延びて設けられた固定の用紙ガイドを示している。これら用紙ガイド４１、４２に作られる給紙部内搬送路の上端は、用紙ガイド対３１の入口３１ａに連通している。したがって、この搬送路を通って上昇する給紙カセット２４からの用紙が用紙ガイド対３１に搬入されるようになっている。
【００３３】
複写機本体１ａの一側壁１ａｗには、図１及び図２に示すようにその一側壁１ａｗの開口を開閉する開閉カバー５１が設けられている。また一側壁１ａｗには、その開閉カバー５１の外側に位置して、同開閉カバー５１が被われるように自動両面装置８１（ＡＤＵ）が配置されている。また一側壁１ａｗには、自動両面装置８１の下側に、同自動両面装置８１と隣接して手差し給紙装置６１（ＳＦＢ）が設けられている。
【００３４】
開閉カバー５１は、その下端部を支点に、図３及び図４に示した閉じ位置と図６に示した開き位置とに渡って回動可能に取付けられている。図３、図４及び図６中符号５２は開閉カバー５１の支点をなす枢軸を示している。枢軸５２は前記枢軸３５、３６より上方に位置されている。この開閉カバー５１の上端部にはマグネット５３が取付けられていて、このマグネット５３と複写機本体１ａに設けた鉄片５４とで行われる磁気吸着によって、開閉カバー５１を一側壁１ａｗの開口を閉じる閉じ位置に保持させている。むろん、閉じ位置の開閉カバー５１は手操作によって開ける。
【００３５】
この開閉カバー５１の上部には前記２次転写ローラ１１が支持されている。開閉カバー５１は、その下部に用紙ガイド５１ａを有している。この用紙ガイド５１ａは、開閉カバー５１が閉じ位置に配置されているときに、可動用紙ガイド３３の前記第２の用紙ガイド面と接近して対向する。用紙ガイド５１ａには、枢軸５２より上方でかつ手差し用紙Ｐの搬送を妨げない位置に連動用の係合凸部５５が設けられている。この係合凸部５５は前記係合凸部３７に接離可能である。すなわち、係合凸部５５は開閉カバー５１が開き位置に配置された状態では係合凸部３７から離される。この逆に、開閉カバー５１が開き位置から閉じ位置に向けて回動されるに伴って、係合凸部５５は、係合凸部３７に接触し、この接触後は接触状態を維持して可動用紙ガイド３３、３４を固定用紙ガイド３２に接する方向に回動させるようになっている。
【００３６】
開閉カバー５１はその下部に用紙通路５６を有している。この用紙通路５６は自動両面装置８１により導かれる両面印刷される用紙を、レジストローラ対１７に向けて案内するようになっている。
【００３７】
手差し給紙装置６１は、装置フレーム６１ａにそれぞれ取付けられた上部の手差し用紙導入部６２と、下部の手差し用紙導入部６３と、手差しトレイ６４とを備えている。上下に対をなした手差し用紙導入部６２、６３は、手差しトレイ６４に載置された手差し用紙Ｐを搬送路１９の途中に導くために、可動用紙ガイド３３、３４の開き側に設けられている。下部の手差し用紙導入部６３は手差し用紙を導く斜状の導入ガイド壁６５を有している。上部の手差し用紙導入部６２には、送り出し部としての給紙ローラ６７と取り出しローラ６７ａが取付けられている。この給紙ローラ６７と取り出しローラ６７ａにより、手差しトレイ６４からの手差し用紙Ｐが、搬送路１９を通じて、画像形成部１Ａへ送り出せる。また手差し用紙導入部６３には導入ガイド壁６５の中間部から露出するように分離部としての分離ローラ６６が取付けられている。この分離ローラ６６は給紙ローラ６７と転接している。この分離ローラ６７は給紙ローラ６７に対して圧接させてある。また分離ローラ６６には、トルクリミッタ６６ｂが嵌合されており、取り出しローラ６７ａにより一度に複数枚の手差し用紙Ｐが取り出された場合、最上位の１枚だけは給紙ローラ６７により送り出されるが、残りの手差し用紙Ｐは、トルクリミッタ６６ｂから受ける負荷により分離ローラ６６の回転が停止するため送り出されることはない。つまり、分離ローラ６６により、手差し用紙Ｐが一枚ずつ分離して給紙されるようにしてある。
【００３８】
手差し用紙導入部６２、６３は、図３に示す搬送路１９への手差しでの給紙を可能とするセット位置（第１位置）から、図４及び図６に示す複写機本体１ａの側部から遠ざかる横方向の地点（開放位置）まで移動可能に設けられている。具体的には、手差し用紙導入部６２，６３は、前記セット位置から、ジャム処理の際に可動用紙ガイド３３、３４の可動領域から外れた退避位置へ渡り、水平方向に往復移動可能に設けてある。セット位置に手差し用紙導入部６２、６３が配置された状態では、可動用紙ガイド３３の前記第２の用紙ガイド面と用紙ガイド５１ａとの間の通路の下端に、導入ガイド壁６５の傾斜上端が配置されて、導入ガイド壁６５に導かれる手差し用紙Ｐが前記通路を通って搬送路１９に導かれることが可能となっている。
【００３９】
手差し用紙導入部６３には可動用紙ガイド３４に接離する押圧部６５ａが設けられている。この押圧部６５ａは例えば導入ガイド壁６５の傾斜上端部から下方に折れ曲がった部分で作られている。押圧部６５ａは、前記セット位置に手差し用紙導入部６２、６３が配置されることに伴い、可動用紙ガイド３４の受け部３４ａに押圧されて用紙ガイド対３１を閉じ状態に保持する。また押圧部６５ａは、前記退避位置に手差し用紙導入部６２、６３が配置されることに伴い、受け部３４ａから離れて用紙ガイド対３１が開かれることを可能とする。
【００４０】
手差し用紙導入部６２、６３には、これら導入部６２，６３を一体に往復移動させるために、例えば平行リンク機構を構成する４本のリンク７１が設けられている。リンク７１は手差し給紙装置６１の幅方向両側にそれぞれ２本ずつ設けられている。各リンク７１は、その上端部が手差し用紙導入部６３に枢着され、下端部が前記一側壁１ａｗに取付けたブラケット７２に枢着して取付けられている。
【００４１】
手差しトレイ６４は、水平となる使用位置と、垂直となる非使用位置とにわたって枢軸７４を支点に回動可能に設けられている。この回動は手動でなされる。使用位置に配置された手差しトレイ６４は下部の手差し用紙導入部６３の傾斜下端に連続して配置される。このため、手差しトレイ６４上に置いた手差し用紙Ｐの給紙が行える。なお、図４及び図６中符号６４ａは手差しトレイ６４上の手差し用紙Ｐを位置決めするためのガイド板を示している。
【００４２】
前記構成を備えた手差し給紙装置６１は、付勢体により常に前記退避位置に向けて付勢されている。付勢体にはコイルばね７５（図３にのみ図示）を用いている。このコイルばね７５は、例えばその一端を、リンク７１の途中に接続し、他端を、リンク７１を支持しているブラケット７２に接続して、圧縮状態に保持することによって、その弾性反発力で手差し給紙装置６１を退避位置へ向け付勢している。
【００４３】
自動両面装置８１は、例えば偏平状の外形をもつ。内部には両面印刷される用紙を反転させて画像形成部１Ａへ搬送するための反転搬送路８２が形成されている。この自動両面装置８１の下端の幅方向両側からは、それぞれ回動レバー８５（一方のみ図４及び図６に図示する）が突き出ている。これら回動レバー８５の下端部が複写機本体１ａに回動可能に支持されている。これにより、自動両面装置８１は、下端部を支点に回動可能に複写機本体１ａに支持され、これで複写機本体１ａの側部に開閉可能に取付けている。図３、図４、図６及び図７中符号８３は自動両面装置８１の支点をなす枢軸を示している。つまり、自動両面装置８１は、図３に示すように前記一側壁１ａｗに取付け保持される閉じ位置から、図４および図６に示す開き位置まで、図５に示されるように回動できる構造にしてある。この回動は手動でなされる。なお、自動両面装置８１が閉じ位置に配置されるときは、反転搬送路８２の出口８２ａが開閉カバー５１の用紙通路５６と連通する。
【００４４】
また自動両面装置８１の出口８２ａ付近には、その出口８２ａよりも前方へ突出する連動凸部８４が形成されている。この連動凸部８４は、自動両面装置８１を開き位置から閉じ位置へ回動させると、開閉カバー５１にその外面側から当たって、開閉カバー５１を閉じさせる。
【００４５】
自動両面装置８１の回動レバー８５には、図４及び図６に示すようにフック状をなす連動部材８６が取付けられている。この連動部材８６は、自動両面装置８１の回動に伴って、上部の手差し用紙導入部６２に設けた連動ピン８６ａに係脱可能である。この係脱構造により、自動両面装置８１が図３に示す閉じ位置に配置された状態では、連動部材８６の凹部８６ａに連動ピン８６ａが入り込んだ状態に係合される。この係合により、手差し給紙装置６１が前記セット位置にコイルばね７５の付勢力に抗して保持されるようになっている。また自動両面装置８１が図４および図６に示す開き位置に配置された状態では、連動ピン８６ａから連動部材８６が外れて、それに伴い手差し給紙装置６１が前記開き位置にコイルばね７５の付勢力で押出されるようになっている。つまり、手差し給紙装置６１は、連動部材８６、連動ピン８６ａ及びコイルばね７５を手差し移動手段として、図４〜図６に示すように自動両面装置８１を開操作すると、その開操作に連動して、複写機本体１ａの側部（セット位置）から離れる方向へ水平に移動（開放位置まで）される構造にしてある。また自動両面装置８１の回動支持の構造により、複写機本体１ａの側部と、複写機本体１ａから離れる手差し給紙装置６１との間（開放部分）が外部に露出される構造にしている。
【００４６】
また下部の手差し導入部６３内には、図３、図４及び図６に示すように分離ローラ６６と給紙ローラ６７との圧接を解除する圧接解除手段としての圧接解除機構９０が設けられている。圧接解除機構９０の構造が図７に示されている。同構造を説明すると、圧接解除機構９０は、分離ローラ６６を常時は給紙ローラ６７へ付勢させる付勢手段としての付勢機構部９０ａと、自動両面装置８１が開かれると前記分離ローラ６６の前記給紙ローラ６７に対する付勢を解除する解除手段としての解除機構部９０ｂとを有している。付勢機構部９０ａには、給紙ローラ６７（図７では図示しない）に接近する上方向Ａと離れる下方向Ｂとに移動可能とした分離ローラ６６を用い、同分離ローラ６６の両端からそれぞれ突き出る支持用の軸部６６ａへ圧接力を加える構造が用いられている。この圧接力を加える構造には、例えば各軸部６６ａの下側に配設した、例えば分離ローラ６６の軸線と直交する水平方向の軸線を支点として上下方向に回動可能な一対の加圧レバー９１と、加圧用の付勢部材、例えば引張り用のコイルスプリング９２とを組み合わせた構造を用いている。具体的には、例えば一対の加圧レバー９１は、３つに分かれたレバー構造、具体的には支点となる枢軸９３と、この枢軸９３に回動自在に支持されるボス部９４と、このボス部９４から軸部６６ａの下側へ張り出す押し上げ部９５と、ボス部９４から押し出し部９５とは反対側へ張り出す受け部９６と、ボス部９４から下側へ張り出すばね受け部９７とを有している。コイルスプリング９２は、これら一対の加圧レバー９１のばね受け部９７間に掛け渡されている。そして、コイルスプリング９２の引張り力により上方へ付勢される押し上げ部９５によって、分離ローラ６６の両端の軸部６６ａを押し上げている。これら軸部６６ａの押し上げにより、分離ローラ６６を給紙ローラ６７と接近する方向へ加圧して、分離ローラ６６を給紙ローラ６７に圧接させている。
【００４７】
解除機構部９０ｂには、一対の加圧レバー９１の側方、例えば斜状の導入ガイド壁６５の下端側に、回動自在に配設されたレバー付き伝達軸１００（以下、単に伝達軸１００という）と、自動両面装置８１の片側の回動レバー８５下部に設けたプッシャ１０１と、加圧解除用の付勢部材、例えば引張り用のコイルスプリング１０２とを組み合わせた構造が用いられている。コイルスプリング１０２は、加圧用のコイルスプリング９２により引張り力を大きく定めたスプリングが用いてある。解除機構部９０ｂを詳しく説明すると、例えば伝達軸１００は、一対の加圧レバー９１間に渡り、分離ローラ６６の軸心にならって並行に配設されている。そして、伝達軸１００の一方の端部が、プッシャ１０１の有る回動レバー８５の近くまで突き出ている。この端部には押圧レバー１０４が固定されている。押圧レバー１０４は、先端部がプッシャ１０１の下端に形成してある押圧部１０１ａまで突き出るレバー部材で形成されている。コイルスプリング１０２は、例えばこの押圧レバー１０４の後部端から突き出たばね係止座１０４ｂに接続されている。そして、このコイルスプリング１０２の引張り力により、伝達軸１００を時計回りへ付勢させて、押圧レバー１０４の上面に形成されている受面１０４ａをプッシャ１０１の押圧部１０１ａに押付けている。これにより、押圧レバー１０４は、自動両面装置８１が閉じ位置に配置されると、図７に示すようにプッシャ１０１で反時計方向Ｃへ押し倒される。また押圧レバー１０４は、自動両面装置８１が開き位置へ回動されると、プッシャ１０１と当接した状態を保ちながら、時計方向Ｄへ回動変位するようにしてある。
【００４８】
また伝達軸１００のうち、一対の加圧レバー９１が有る位置と対応する各軸部分には、一対の解除レバー１０６が固定されている。一対の解除レバー１０６は、いずれも先端部が加圧レバー９１の受け部９６の直下へ突き出るレバー部材で形成されている。また解除レバー１０６は、前記自動両面装置８１が閉じ位置に配置された状態では、解除レバー１０６の上面に形成されている押圧面１０６ａと加圧レバー９１の受け部９６との間に隙間δが生じる設定にしてある。さらに解除レバー１０６は、自動両面装置８１を閉じ位置から開くと、コイルスプリング１０２の弾性力により、図７中の時計方向Ｅに回動する。この時計方向Ｅの回動変位により、押圧面１０６ａは、受け部９６と当接、さらにはコイルスプリング９２の弾性力と打ち勝ちながら加圧レバー９１の受け部９６を押し上げ、反対側の押し上げ部９５を図７中の矢印Ｆ方向のように押し下げるようにしてある。つまり、分離ローラ６６は、自動両面装置８１を開くと、自重により、下方向Ｂへ落下して、給紙ローラ６７から離れるようにしてある。この分離ローラ６６の離反動作により、この自動両面装置８１の開操作に連動して、分離ローラ６６と給紙ローラ６７との圧接が解除されるようにしてある。
【００４９】
こうした自動両面装置８１及び手差し給紙装置６１が組付く電子写真複写機１は、通常の状態では、図３に示すように用紙ガイド対３１が閉じているとともに、開閉カバー５１及び自動両面装置８１がそれぞれ閉じ位置に配置されている。さらに手差し給紙装置６１はセット位置に配置されていて、その手差しトレイ６４は自動両面装置８１の下部外面に重なるように略垂直に立てられている。
【００５０】
この通常状態では、前述したように給紙部１Ｂの給紙カセット２４内の用紙を画像形成部１Ａに給紙して印刷できる。この印刷のとき両面印刷が指定された場合、片面に印刷が施された用紙が、排出ローラ２０によりスイッチバックし、自動両面装置８１の反転搬送路８２を通って、再び搬送路１９を経由して画像形成部１Ａに給紙され、両面印刷がなされる。
【００５１】
手差しによる給紙が必要な場合には、図３中二点鎖線で示すように手差しトレイ６４を水平な姿勢となるように倒してから、このトレイ６４に手差し用紙Ｐを載せてセットすることにより、搬送路１９を経由して、画像形成部１Ａへ手差し用紙Ｐが給紙され、用紙Ｐの紙面に印刷が施される。
【００５２】
このとき、手差し給紙装置６１付近で用紙Ｐの詰まりが生じたとする。
【００５３】
この場合には、まず、図５に示すように閉じ位置に配置されている自動両面装置８１を手で回動させて開き位置に配置させる。この自動両面装置８１の回動により、連動部材８６と手差し給紙装置６１の連動ピン８６ａとの係合が外れる。これにより、手差し給紙装置６１の拘束が解除される。すると、手差し給紙装置６１は、開く自動両面装置８１に連動してコイルばね７５の弾性力により、用紙ガイド対３１から離れる方向へ水平移動する（所定の退避位置まで）。一方、図７に示す圧接解除機構９０は、自動両面装置８１の回動に伴うプッシャ１０１の移動により、押圧レバー１０４の制限が解かれる。すると、伝達軸１００は、加圧用のコイルスプリング９２に勝る解除用のコイルスプリング１０２の弾性力により、時計方向回りに回動変位する。これにより、加圧レバー９１は、解除レバー１０６によって、加圧を解除する加圧解除方向（Ｆ方向）へ強制的に回動変位される。すると、分離ローラ６６は自重により落下し（下方向Ｂ）、給紙ローラ６７に対する圧接が解除される。
【００５４】
つまり、自動両面装置８１を開操作すると、図４に示すように複写機本体１ａの側部と手差し給紙装置６１との間には開放空間が形成される。このときの開放空間は、開いた自動両面装置８１と複写機本体１ａとの間に露出するから、複写機本体１ａと自動両面装置８１、手差し給紙装置６１との間には、ジャムしたとされる場所まで開放した、ジャム処理の作業がしやすい作業スペースが形成される。しかも、分離ローラ６６と給紙ローラ６７との圧接は解除されるから、手差し用紙導入部６２，６３間から用紙Ｐが取り出しやすい状況が形成される。
【００５５】
ここで、手差し給紙装置６１にジャムした用紙Ｐが有るとすると、作業者は、複写機本体１ａと手差し給紙装置６１との間に形成される開放部分から、手差し給紙装置６１の退避動作で確保された作業スペースを通じて、手差し給紙装置６１から、分離ローラ６６と給紙ローラ６７とで挟まれていないフリーな状態に有る用紙Ｐを除けばよい。なお、自動両面装置８１を閉じ位置まで戻せば、分離ローラ６６は再び給紙ローラ６７と圧接される状態に戻り、手差し給紙装置６１は再びセット位置に戻る。
【００５６】
それ故、自動両面装置８１と手差し給紙装置６１とが装備される電子写真複写機１でありながら、少ない労力、さらには作業しやすい状況下のもとで、容易にジャムした用紙Ｐを取り除くことができる。特に複写機本体１ａの側部に自動両面装置８１を回動可能に支持させる構造は、簡単に手差し給紙装置６１と複写機本体１ａとの間が外部に露出させやすい。しかも、圧接解除機構９０は、常時は分離ローラ６６を給紙ローラ６７に付勢させる構造に、自動両面装置８１の開動作に連動して付勢を解除する構造を組み合わせただけの構成なので、簡単であるうえ、信頼性も高い。
【００５７】
また自動両面装置８１で被われる複写機本体１ａの側部に、複写機本体１ａ内でのジャム処理に用いる開閉カバー５１が設けたことにより、用紙Ｐのジャム処理のために必要であれば、開閉カバー５１を手で回動させれば、可動用紙ガイド３３の拘束が解除される。すると、上下の可動用紙ガイド３３、３４が開閉カバー５１の開放に追従して固定用紙ガイド３２から離れ、図４に示すように用紙ガイド対３１が自動的にその上側を大きく離すように開かれるので、搬送路１９で用紙Ｐがジャムしていた場合でも、容易にジャム処理が行える。
【００５８】
なお、本発明は上述した一実施形態に限定されるものではなく、本発明の主旨を逸脱しない範囲内で種々変更して実施しても構わない。
【図面の簡単な説明】
【００５９】
【図１】本発明の一実施形態に係る電子写真複写機を示す概略正面図。
【図２】図１の電子写真複写機の画像形成部回りを示す図。
【図３】図１の電子写真複写機の自動両面装置及び手差し給紙装置回りを示す断面図。
【図４】図３の自動両面装置を開いたときの状態を示す断面図。
【図５】同じく斜視図。
【図６】図４の状態から、開閉カバーを開いたときの状態を示す断面図。
【図７】給紙ローラと分離ローラとの圧接を解除する圧接解除機構を説明するための斜視図。
【符号の説明】
【００６０】
１…電子写真複写機（画像形成装置）、１ａ…複写機本体（装置本体）、１Ａ…画像形成部、５１…開閉カバー、６１…手差し給紙装置、６６…分離ローラ（分離部）、６７…給紙ローラ（送り出し部）、８１…自動両面装置、７５，８６，８６ａ…コイルばね，連動部材，連動ピン（手差し移動手段）、９０…圧接解除機構（圧接解除手段）、９０ａ…付勢機構部（付勢手段）、９０ｂ…解除機構部（解除手段）。
【図１】
2005070223.tif 000003
【図２】
2005070223.tif 000004
【図３】
2005070223.tif 000005
【図４】
2005070223.tif 000006
【図５】
2005070223.tif 000007
【図６】
2005070223.tif 000008
【図７】
2005070223.tif 000009